(57)【特許請求の範囲】
【請求項１】
受け付けられた、画像を表示させる指示操作に基づいて、前記画像を表示装置に表示させる制御を行い、前記指示操作が立体視画像を表示させる立体視画像指示操作である場合に、前記表示装置に表示される画像の表示操作を行う操作モードとして、前記画像を自動で前記表示装置に順次表示させる操作モードが設定されているときには、前記画像をユーザの手動操作により前記表示装置に順次表示させる操作モードへの切替を行い、前記画像のうち立体視画像を前記表示装置に順次表示させる制御を行う制御部を具備する画像処理装置。
【請求項２】
前記画像処理装置は、前記画像をユーザの手動操作により前記表示装置に順次表示させる操作モードである第１モードと、前記画像を自動で前記表示装置に順次表示させる操作モードである第２モードとを有し、
前記制御部は、前記立体視画像指示操作が受け付けられた際に前記第２モードが設定されている場合には前記第１モードを設定する
請求項１記載の画像処理装置。
【請求項３】
前記制御部は、前記立体視画像指示操作が受け付けられた際に前記表示装置に表示されていた画像が属するフォルダに割り当てられている立体視画像を抽出する制御を行う請求項１記載の画像処理装置。
【請求項４】
前記制御部は、前記立体視画像指示操作が受け付けられた際に前記表示装置に平面画像が表示されている場合には当該平面画像の代わりに前記立体視画像を前記表示装置に表示させる制御を行う請求項１記載の画像処理装置。
【請求項５】
前記表示装置と接続し、前記画像を前記表示装置に表示させるための画像情報を出力する情報出力部をさらに具備し、
前記制御部は、前記立体視画像指示操作が受け付けられた場合において、前記情報出力部が前記表示装置と接続されたら前記立体視画像の抽出を行う
請求項１記載の画像処理装置。
【請求項６】
前記画像処理装置は、前記表示装置に立体視画像を表示する立体視画像表示モードと、前記表示装置に平面画像を表示する平面画像表示モードとを有し、
前記制御部は、前記立体視画像表示モードになった時、前記立体視画像の抽出を行い当該抽出された立体視画像を前記表示装置に順次表示させる制御を行う
請求項１記載の画像処理装置。
【請求項７】
前記制御部は、前記平面画像表示モードになった時、平面画像を前記表示装置に表示させ、前記立体視画像を平面画像として前記表示装置に表示させる制御を行う請求項６記載の画像処理装置。
【請求項８】
受け付けられた、画像を表示させる指示操作に基づいて、前記画像を表示装置に表示させる第１手順と、
前記指示操作が立体視画像を表示させる立体視画像指示操作である場合に、前記表示装置に表示される画像の表示操作を行う操作モードとして、前記画像を自動で前記表示装置に順次表示させる操作モードが設定されているときには、前記画像をユーザの手動操作により前記表示装置に順次表示させる操作モードへの切替を行い、前記画像のうち立体視画像を前記表示装置に順次表示させる第２手順と
を具備する画像処理方法。
【請求項９】
受け付けられた、画像を表示させる指示操作に基づいて、前記画像を表示装置に表示させる第１手順と、
前記指示操作が立体視画像を表示させる立体視画像指示操作である場合に、前記表示装置に表示される画像の表示操作を行う操作モードとして、前記画像を自動で前記表示装置に順次表示させる操作モードが設定されているときには、前記画像をユーザの手動操作により前記表示装置に順次表示させる操作モードへの切替を行い、前記画像のうち立体視画像を前記表示装置に順次表示させる第２手順と
をコンピュータに実行させるプログラム。
【発明の詳細な説明】
【技術分野】
【０００１】
本発明は、画像処理装置に関し、特に、立体視画像を表示させる画像処理装置および画像処理方法ならびに当該方法をコンピュータに実行させるプログラムに関する。
【背景技術】
【０００２】
近年、人物や動物等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された各画像コンテンツをテレビジョン等の表示装置に順次出力して、その表示装置において各画像コンテンツを表示させる再生方法が提案されている。
【０００３】
例えば、ケーブルを介して撮像装置およびテレビを接続し、撮像装置により記録された画像をテレビに表示する画像処理システムが提案されている（例えば、特許文献１参照。）。
【先行技術文献】
【特許文献】
【０００４】
【特許文献１】特開２００４−３２０６１４号公報（図１）
【発明の概要】
【発明が解決しようとする課題】
【０００５】
上述の従来技術によれば、撮像装置により記録された画像コンテンツを大型の表示装置に表示させて見ることができるため、ユーザが画像コンテンツをさらに楽しむことができる。
【０００６】
ここで、近年では、左右眼の視差を利用して立体的な視覚を得ることができる立体視画像を表示するための立体視画像表示方法が多数提案されている。また、立体視画像を表示するための画像データを画像コンテンツ（立体視画像コンテンツ）として記録するデジタルスチルカメラやデジタルビデオカメラ（カメラ一体型レコーダ）等の撮像装置が提案されている。このように撮像装置により立体視画像コンテンツを記録することができるため、例えば、その記録された立体視画像コンテンツをテレビジョン等の表示装置に順次出力して、その表示装置において立体視画像を表示させることも想定される。
【０００７】
また、立体視画像コンテンツおよび平面画像コンテンツを同一フォルダに割り当て、ユーザの好みに応じたコンテンツ管理（例えば、撮影日単位で管理）を行うことができる撮像装置が提案されている。このため、例えば、同一フォルダに割り当てられている平面画像コンテンツおよび立体視画像コンテンツを、ユーザ操作に応じてその表示装置に表示させることも想定される。
【０００８】
例えば、同一フォルダに立体視画像コンテンツおよび平面画像コンテンツが混在している場合において、このフォルダに属する画像コンテンツを所定の順序（例えば、記録時刻順）で順次表示させる場合を想定する。例えば、表示対象となる画像を楽しむため、その画像コンテンツの種類に応じて表示モード（立体視画像表示モード、平面画像表示モード）の切替処理を行いながら、そのフォルダに属する画像コンテンツを所定の順序で順次表示させることが考えられる。しかしながら、同一フォルダに立体視画像コンテンツおよび平面画像コンテンツが混在している場合には、その表示モードの切替処理が頻繁に行われる可能性がある。ここで、表示モードの切替処理を行う場合には、表示装置においてその切替処理を行う必要がある。このため、表示モードの切替処理に係る時間だけ、表示対象となる画像を適切に表示することができず、その画像を見難くなるおそれがある。
【０００９】
本発明はこのような状況に鑑みてなされたものであり、外部の表示装置に立体視画像を出力して表示させる場合にその立体視画像を見易くすることを目的とする。
【課題を解決するための手段】
【００１０】
本発明は、上記課題を解決するためになされたものであり、その第１の側面は、受け付けられた、画像を表示させる指示操作に基づいて、上記画像を表示装置に表示させる制御を行い、上記指示操作が立体視画像を表示させる立体視画像指示操作である場合に、上記表示装置に表示される画像の表示操作を行う操作モードとして、上記画像を自動で上記表示装置に順次表示させる操作モードが設定されているときには、上記画像をユーザの手動操作により上記表示装置に順次表示させる操作モードへの切替を行い、上記画像のうち立体視画像を上記表示装置に順次表示させる制御を行う制御部を具備する画像処理装置および画像処理方法ならびに当該方法をコンピュータに実行させるプログラムである。これにより、受け付けられた、画像を表示させる指示操作に基づいて、画像を表示装置に表示させる制御を行い、指示操作が立体視画像を表示させる立体視画像指示操作である場合に、画像を自動で表示装置に順次表示させる操作モードが設定されているときには、画像をユーザの手動操作により表示装置に順次表示させる操作モードへの切替を行い、立体視画像を表示装置に順次表示させるという作用をもたらす。
【００１１】
また、この第１の側面において、上記画像処理装置は、上記画像をユーザの手動操作により上記表示装置に順次表示させる操作モードである第１モードと、上記画像を自動で上記表示装置に順次表示させる操作モードである第２モードとを有し、上記制御部は、上記立体視画像指示操作が受け付けられた際に上記第２モードが設定されている場合には上記第１モードを設定するようにしてもよい。これにより、立体視画像指示操作が受け付けられた際に第２モードが設定されている場合には、第１モードを設定するという作用をもたらす。
【００１２】
また、この第１の側面において、上記制御部は、上記立体視画像指示操作が受け付けられた際に上記表示装置に表示されていた画像が属するフォルダに割り当てられている立体視画像を抽出する制御を行うようにしてもよい。これにより、立体視画像指示操作が受け付けられた際に表示装置に表示されていた画像が属するフォルダに割り当てられている立体視画像を抽出する制御を行うという作用をもたらす。
【００１３】
また、この第１の側面において、上記制御部は、上記立体視画像指示操作が受け付けられた際に上記表示装置に平面画像が表示されている場合には当該平面画像の代わりに上記立体視画像を上記表示装置に表示させる制御を行うようにしてもよい。これにより、立体視画像指示操作が受け付けられた際に表示装置に平面画像が表示されている場合には、その平面画像の代わりに、立体視画像を表示装置に表示させる制御を行うという作用をもたらす。
【００１４】
また、この第１の側面において、上記表示装置と接続し、上記画像を上記表示装置に表示させるための画像情報を出力する情報出力部をさらに具備し、上記制御部は、上記立体視画像指示操作が受け付けられた場合において、上記情報出力部が上記表示装置と接続されたら上記立体視画像の抽出を行うようにしてもよい。これにより、立体視画像指示操作が受け付けられた場合において、情報出力部が表示装置と接続されたら立体視画像の抽出を行うという作用をもたらす。
【００１５】
また、この第１の側面において、上記画像処理装置は、上記表示装置に立体視画像を表示する立体視画像表示モードと、上記表示装置に平面画像を表示する平面画像表示モードとを有し、上記制御部は、上記立体視画像表示モードになった時、上記立体視画像の抽出を行い当該抽出された立体視画像を上記表示装置に順次表示させる制御を行うようにしてもよい。これにより、立体視画像表示モードになった時、立体視画像の抽出を行い、この抽出された立体視画像を表示装置に順次表示させる制御を行うという作用をもたらす。
【００１６】
また、この第１の側面において、上記制御部は、上記平面画像表示モードになった時、平面画像を上記表示装置に表示させ、上記立体視画像を平面画像として上記表示装置に表示させる制御を行うようにしてもよい。これにより、平面画像表示モードになった時、平面画像を表示装置に表示させ、立体視画像を平面画像として表示装置に表示させる制御を行うという作用をもたらす。
【発明の効果】
【００１７】
本発明によれば、外部の表示装置に立体視画像を出力して表示させる場合にその立体視画像を見易くすることができるという優れた効果を奏し得る。
【図面の簡単な説明】
【００１８】
【図１】本発明の第１の実施の形態におけるコンテンツ再生システム１０のシステム構成例を示す図である。
【図２】、本発明の第１の実施の形態における撮像装置１００の機能構成例を示すブロック図である。
【図３】本発明の第１の実施の形態における画像コンテンツ記憶部３００に記憶される画像ファイル（画像コンテンツ）のファイル構成の一例を示す図である。
【図４】本発明の第１の実施の形態における画像コンテンツ記憶部３００に記憶される画像ファイル（画像コンテンツ）のファイル構成の基本構造の一例を模式的に示す図である。
【図５】本発明の第１の実施の形態における再生制御部１５０による立体視画像の展開例を模式的に示す図である。
【図６】本発明の第１の実施の形態における再生制御部１５０による立体視画像コンテンツの抽出処理を模式的に示す図である。
【図７】本発明の第１の実施の形態における表示部１８０（撮像装置１００）および表示部２２０（表示装置２００）の表示例を示す図である。
【図８】本発明の第１の実施の形態における表示部１８０（撮像装置１００）および表示部２２０（表示装置２００）の表示例を示す図である。
【図９】本発明の第１の実施の形態における表示部１８０（撮像装置１００）および表示部２２０（表示装置２００）の表示例を示す図である。
【図１０】本発明の第１の実施の形態における表示部１８０（撮像装置１００）の表示例を示す図である。
【図１１】本発明の第１の実施の形態における撮像装置１００による画像コンテンツ再生処理の処理手順の一例を示すフローチャートである。
【図１２】本発明の第１の実施の形態における撮像装置１００による画像コンテンツ再生処理の処理手順の一例を示すフローチャートである。
【図１３】本発明の第１の実施の形態における撮像装置１００による画像コンテンツ再生処理の処理手順のうちの３Ｄ画像表示処理の一例を示すフローチャートである。
【図１４】本発明の第１の実施の形態における表示装置２００による画像コンテンツ再生処理の処理手順の一例を示すフローチャートである。
【図１５】本発明の第１の実施の形態における表示装置２００による画像コンテンツ再生処理の処理手順の一例を示すフローチャートである。
【図１６】本発明の第１の実施の形態の変形例における表示部１８０（撮像装置１００）および表示部２２０（表示装置２００）の表示例を示す図である。
【図１７】本発明の第１の実施の形態における表示部１８０（撮像装置１００）および表示部２２０（表示装置２００）の表示例を示す図である。
【図１８】本発明の第１の実施の形態における表示部１８０（撮像装置１００）および表示部２２０（表示装置２００）の表示例を示す図である。
【発明を実施するための形態】
【００１９】
以下、本発明を実施するための形態（以下、実施の形態と称する）について説明する。説明は以下の順序により行う。
１．第１の実施の形態（表示制御：３Ｄ鑑賞モードが設定された場合には立体視画像を抽出して表示装置に立体視画像を連続して表示させる例）
２．変形例
【００２０】
＜１．第１の実施の形態＞
［コンテンツ再生システムの構成例］
図１は、本発明の第１の実施の形態におけるコンテンツ再生システム１０のシステム構成例を示す図である。コンテンツ再生システム１０は、撮像装置１００および表示装置２００を備える。また、撮像装置１００および表示装置２００は、装置間インターフェース２０により接続される。装置間インターフェース２０は、例えば、ＨＤＭＩ（High-Definition Multimedia Interface）ケーブルを用いることができる。なお、装置間インターフェース２０として、撮像装置１００および表示装置２００を有線または無線により接続し、撮像装置１００および表示装置２００間で互いに通信を行うことが可能な他の装置間インターフェースを用いるようにしてもよい。
【００２１】
撮像装置１００は、被写体を撮像して撮像画像（画像データ）を生成し、この生成された撮像画像を画像コンテンツ（静止画コンテンツまたは動画コンテンツ）として記録媒体に記録することが可能な撮像装置である。また、撮像装置１００は、立体視画像（３Ｄ画像）を表示させるための画像コンテンツを生成することが可能な撮像装置である。例えば、撮像装置１００は、被写体を撮像して２つの撮像画像（立体視画像を表示するための左眼用画像および右眼用画像）を生成し、この生成された２つの撮像画像に基づいて、立体視画像を表示させるための画像コンテンツを生成する。
【００２２】
また、撮像装置１００は、装置間インターフェース２０を介して、記録媒体に記憶されている画像コンテンツを表示装置２００に出力し、この出力された画像コンテンツを表示装置２００に表示させる。この場合には、表示装置２００に表示させる画像と同一の画像を表示部１８０に表示させることができる。また、例えば、撮像装置１００は、記録媒体に記憶されている画像コンテンツ（立体視画像）を表示装置２００に出力し、表示装置２００において３Ｄ鑑賞再生（例えば、スライドショー）を行う機能を備える。これらの再生時等には、各操作部材（１３１乃至１３５）が用いられる。なお、ズームボタン１３５は、撮像時においてズームの倍率を調整する際に操作されるボタンであり、Ｗ（ワイド）ボタンおよびＴ（テレ）ボタンにより構成される。なお、撮像装置１００は、デジタルスチルカメラやデジタルビデオカメラ（例えば、カメラ一体型レコーダ）により実現される。また、撮像装置１００の機能構成については、図２を参照して詳細に説明する。
【００２３】
表示装置２００は、装置間インターフェース２０および接続端子（図示せず）を介して撮像装置１００から入力された画像コンテンツを表示部２２０に表示することが可能な表示装置である。また、表示装置２００は、立体視画像を見るための専用メガネ（例えば、アクティブシャッター方式メガネ、偏光板タイプメガネ）をユーザがかけることにより、そのユーザに立体視画像を提供することができる。
【００２４】
例えば、専用メガネとして、ユーザがアクティブシャッター式メガネ（シャッター機構付きメガネ）をかけて立体視画像を表示する場合を想定する。この場合には、表示装置２００は、撮像装置１００から入力された画像コンテンツ（立体視画像コンテンツ）をフレームシーケンシャル表示方式（右眼用画像および左眼用画像を交互に表示する方式）で表示部２２０に表示する。また、専用メガネ（アクティブシャッター式メガネ）は、表示部２２０に交互に表示される右眼用画像および左眼用画像に同期して、その専用メガネのレンズ部に相当する液晶シャッター（電子シャッター）を交互に開閉する。すなわち、表示部２２０に右眼用画像が表示されている場合には、専用メガネの左眼が閉じられ、表示部２２０に左眼用画像が表示されている場合には、専用メガネの右眼が閉じられる。このように、表示部２２０（１つのディスプレイ）に表示される画像を専用メガネでユーザが見ることにより、立体視画像の視聴が可能となる。表示装置２００は、例えば、立体視画像を表示することが可能なテレビジョン等の映像視聴装置により実現される。
【００２５】
［撮像装置の構成例］
図２は、本発明の第１の実施の形態における撮像装置１００の機能構成例を示すブロック図である。撮像装置１００は、撮像制御部１１０と、記録制御部１２０と、操作受付部１３０と、ＵＩ制御部１４０と、再生制御部１５０と、画像メモリ１６０と、表示制御部１７０と、表示部１８０と、情報入出力部１９０とを備える。また、撮像装置１００は、画像コンテンツ記憶部３００および画像管理情報記憶部３１０を備える。
【００２６】
画像コンテンツ記憶部３００は、記録制御部１２０による記録制御に基づいて画像コンテンツ（画像ファイル）を記憶するものである。この画像コンテンツとして、例えば、平面画像（２Ｄ画像）コンテンツ、立体視画像（３Ｄ画像）コンテンツ、動画像コンテンツが記憶される。なお、各画像コンテンツは、例えば、ＤＣＦ（Design rule for Camera File system）規格に基づいて記憶される。また、各画像コンテンツには、属性情報（画像コンテンツの種類、撮影更新日時、画サイズ、色空間情報、メーカー名等の属性情報）が記録される。これにより、各画像コンテンツの種類を識別することが可能である。
【００２７】
画像管理情報記憶部３１０は、記録制御部１２０による記録制御に基づいて、画像コンテンツ記憶部３００に記憶されている画像コンテンツに関する管理情報（画像管理情報）を記憶するものである。この画像管理情報を用いて、各画像コンテンツの種類を識別することが可能である。なお、画像コンテンツ記憶部３００および画像管理情報記憶部３１０は、撮像装置１００に内蔵するようにしてもよく、撮像装置１００から着脱可能とするようにしてもよい。
【００２８】
撮像制御部１１０は、立体視撮像対応の撮像部を備え、操作受付部１３０により受け付けられたユーザ操作に基づいて、被写体を撮像して撮像画像（画像データ）を生成するものであり、生成された撮像画像を記録制御部１２０に出力する。例えば、撮像制御部１１０は、２Ｄ画像コンテンツを記録する記録指示操作（例えば、図１に示すシャッターボタン１３１の押下操作）が受け付けられた場合には、１つの撮像画像を生成する。また、例えば、撮像制御部１１０は、動画コンテンツを記録する記録指示操作が受け付けられた場合には、動画を生成する。また、例えば、撮像制御部１１０は、３Ｄ画像コンテンツを記録する記録指示操作が受け付けられた場合には、被写体を撮像して２つの撮像画像（立体視画像を表示するための左眼用画像および右眼用画像）を生成する。
【００２９】
記録制御部１２０は、撮像制御部１１０から供給された撮像画像を画像コンテンツ（画像ファイル）として画像コンテンツ記憶部３００に記録させるものである。この記録時に、撮像制御部１１０による撮像時に関する各種情報（撮影日時、画サイズ、コンテンツの種類）が画像コンテンツ内に記録される。また、記録制御部１２０は、その記録された画像コンテンツに関する画像管理情報を画像管理情報記憶部３１０に記録させる。
【００３０】
操作受付部１３０は、ユーザからの操作入力を受け付ける操作受付部であり、受け付けられた操作入力に応じた操作内容を撮像制御部１１０、記録制御部１２０およびＵＩ制御部１４０に出力する。例えば、図１に示すシャッターボタン１３１、十字ボタン１３２、決定ボタン１３３、操作ボタン１３４、ズームボタン１３５等の操作部材が撮像装置１００に備えられ、これらによる操作入力が受け付けられる。例えば、操作受付部１３０は、表示装置２００の鑑賞モードとして２Ｄ鑑賞モード（平面画像表示モード）または３Ｄ鑑賞モード（立体視画像表示モード）を設定する設定操作が受け付けられた場合には、その旨をＵＩ制御部１４０に出力する。また、操作受付部１３０は、表示装置２００に表示されている画像の表示状態を変更する変更操作（例えば、画送り操作、画戻し操作）が受け付けられた場合には、その旨をＵＩ制御部１４０に出力する。さらに、操作受付部１３０は、表示装置２００に表示される画像の表示操作を行うための操作モード（手動再生モード（第１モード）、自動再生モード（第２モード））を設定する設定操が受け付けられた場合には、その旨をＵＩ制御部１４０に出力する。ここで、手動再生モードは、画送り等をユーザの手動操作により行うことにより、表示装置２００に画像を順次表示させる再生モードであり、自動再生モードは、画送り等を一定時間毎に自動で行う再生モードである。
【００３１】
ＵＩ制御部１４０は、操作受付部１３０により受け付けられた操作入力に基づいて、画像コンテンツ記憶部３００に記憶されている画像コンテンツを、表示部１８０および表示装置２００に表示させる制御を行うものである。例えば、ＵＩ制御部１４０は、表示装置２００に立体視画像を表示するための３Ｄ鑑賞モード（立体視画像表示モード）と、表示装置２００に平面画像を表示するための２Ｄ鑑賞モード（平面画像表示モード）との何れかを設定する。また、例えば、ＵＩ制御部１４０は、２Ｄ鑑賞モードが設定されている場合には、表示対象画像（または、これに操作支援情報（例えば、図７（ａ）に示す操作支援情報６０１）を重ねた画像）を表示部１８０および表示装置２００に表示させる制御を行う。また、例えば、ＵＩ制御部１４０は、３Ｄ鑑賞モードが設定されている場合には、表示対象画像を表示部１８０に表示させず、操作支援情報（例えば、図８（ｂ）および（ｃ）に示す操作支援情報）を表示部１８０に表示させるように制御を行う。この場合に、ＵＩ制御部１４０は、画像コンテンツ記憶部３００に記憶されている画像コンテンツのうちから立体視画像コンテンツを抽出し、この抽出された立体視画像コンテンツに基づいて、表示装置２００に立体視画像を連続して表示させる制御を行う。なお、ＵＩ制御部１４０は、３Ｄ鑑賞モードの設定操作が行われた場合には、情報入出力部１９０が表示装置２００と接続されていることを条件に、立体視画像コンテンツの抽出を行う。また、ＵＩ制御部１４０は、特許請求の範囲に記載の制御部の一例である。
【００３２】
再生制御部１５０は、ＵＩ制御部１４０の制御に基づいて、画像コンテンツ記憶部３００に記憶されている画像コンテンツを、表示部１８０および表示装置２００に表示させるための再生制御を行うものである。例えば、再生制御部１５０は、画像コンテンツの再生指示操作が行われた場合には、ユーザにより指定された画像コンテンツを画像コンテンツ記憶部３００から取得してデコードし、デコードされた画像データを画像メモリ１６０における所定エリアに展開する。また、再生制御部１５０は、画像コンテンツ記憶部３００から取得された画像コンテンツの種類（２Ｄ画像コンテンツ、３Ｄ画像コンテンツ、動画像コンテンツ）を判別して、この判別結果をＵＩ制御部１４０に通知する。なお、画像コンテンツの種類の判別については、画像コンテンツ内に記録されている属性情報を用いるようにしてもよく、画像管理情報記憶部３１０に記憶されている画像管理情報を用いるようにしてもよい。また、再生制御部１５０は、３Ｄ鑑賞モードが設定された場合には、画像コンテンツ記憶部３００から立体視画像コンテンツを抽出する。この抽出された立体視画像コンテンツに基づいて、表示装置２００に立体視画像が連続して表示される。
【００３３】
画像メモリ１６０は、再生制御部１５０よりデコードされた画像データを保持するものであり、保持されている画像データを表示制御部１７０に供給する。
【００３４】
表示制御部１７０は、ＵＩ制御部１４０の制御に基づいて、表示部１８０および表示装置２００における表示状態を制御するものである。例えば、表示制御部１７０は、２Ｄ鑑賞モードが設定されている場合において、表示対象となる画像が２Ｄ画像である場合には、画像メモリ１６０に保持されている画像データに操作支援情報を重ねた画像（２Ｄ画像）を生成する。この操作支援情報は、ＯＳＤ（on-screen display）画像であり、例えば、図７（ａ）に示す操作支援情報６０１である。なお、操作支援情報については、図７等を参照して詳細に説明する。そして、表示制御部１７０は、その生成された２Ｄ画像を表示部１８０および表示装置２００に表示させる。すなわち、表示制御部１７０は、その生成された２Ｄ画像を表示部１８０に表示させ、その生成された２Ｄ画像を表示装置２００に表示させるための画像情報（例えば、データストリーム）を情報入出力部１９０を介して表示装置２００に送信する。
【００３５】
また、例えば、表示制御部１７０は、２Ｄ鑑賞モードが設定されている場合において、表示対象となる画像が３Ｄ画像である場合には、画像メモリ１６０に保持されている画像データを２Ｄ画像として表示部１８０および表示装置２００に表示させる。すなわち、表示制御部１７０は、３Ｄ画像を構成する右眼用画像および左眼用画像のうちの何れかを用いて２Ｄ画像を生成し、この２Ｄ画像に操作支援情報を重ねて表示部１８０および表示装置２００に表示させる。
【００３６】
ここで、３Ｄ鑑賞モードが設定されている場合には、画像コンテンツ記憶部３００から抽出された立体視画像コンテンツに基づいて、表示装置２００に立体視画像が連続して表示される。このため、例えば、表示制御部１７０は、３Ｄ鑑賞モードが設定されている場合には、画像メモリ１６０に保持されている画像データを３Ｄ画像として表示装置２００に表示させる。この場合に、表示制御部１７０は、表示装置２００にはその３Ｄ画像を表示させ、表示部１８０にはその３Ｄ画像を表示させずに、操作支援情報（例えば、図８に示す操作支援情報６０３乃至６０８）を表示させる。すなわち、表示制御部１７０は、その操作支援情報を表示部１８０に表示させ、その３Ｄ画像を表示装置２００に表示させるための画像情報（例えば、データストリーム）を情報入出力部１９０を介して表示装置２００に送信する。これらの表示例については、図７乃至図９等を参照して詳細に説明する。
【００３７】
表示部１８０は、表示制御部１７０の制御に基づいて各種情報（平面画像）を表示する表示部である。表示部１８０として、例えば、ＬＣＤ（Liquid Crystal Display）、有機ＥＬ（Electro Luminescence）パネル等を用いることができる。なお、操作受付部１３０および表示部１８０については、表示画面における指等の接触または近接により各種の操作入力を行うことが可能なタッチパネルにより一体で構成するようにしてもよい。このタッチパネルを用いる例については、図１６乃至図１８を参照して詳細に説明する。
【００３８】
情報入出力部１９０は、装置間インターフェース２０を介して表示装置２００と接続し、ＵＩ制御部１４０の制御に基づいて、表示装置２００との間で行われる各種情報の入出力を行うものである。例えば、情報入出力部１９０は、表示装置２００に画像を表示させるための画像情報として、表示制御部１７０により生成されたデータストリームを表示装置２００に送信する。また、例えば、表示装置２００の鑑賞モードとして３Ｄ鑑賞モードを設定する設定操作が操作受付部１３０により受け付けられた場合には、情報入出力部１９０は、３Ｄ鑑賞モードを設定するための３Ｄ鑑賞モード設定情報を表示装置２００に送信する。また、例えば、表示装置２００の鑑賞モードとして２Ｄ鑑賞モードを設定する設定操作が操作受付部１３０により受け付けられた場合には、情報入出力部１９０は、２Ｄ鑑賞モードを設定するための２Ｄ鑑賞モード設定情報を表示装置２００に送信する。なお、情報入出力部１９０は、特許請求の範囲に記載の情報出力部の一例である。
【００３９】
［画像ファイルの構成例］
図３は、本発明の第１の実施の形態における画像コンテンツ記憶部３００に記憶される画像ファイル（画像コンテンツ）のファイル構成の一例を示す図である。この例では、ファイルのディレクトリ構造を示す。図３に示す例では、ＤＣＦ（Design rule for Camera File system）規格により記録される画像ファイルのファイル構造を概略的に示す。ＤＣＦは、デジタルスチルカメラやプリンタ等の機器間で、記録媒体を介して画像の相互利用を実現するためのファイルシステム規格である。また、ＤＣＦでは、Ｅｘｉｆ（Exchangeable image file format）をベースにして記録媒体に記録する場合におけるファイル名の付け方やフォルダの構成が規定されている。Ｅｘｉｆは、画像ファイルの中に画像データおよびカメラ情報を付加するための規格であり、画像ファイルを記録するための形式（ファイルフォーマット）を規定するものである。また、ＤＣＦ規格では、ディレクトリ構造により画像ファイルが記録媒体に記録される。なお、標準的なＤＣＦ規格では、ルートディレクトリ（ＲＯＯＴ）の直下に、ディレクトリ「ＤＣＩＭ」３０１が配置される。
【００４０】
また、ディレクトリ「ＤＣＩＭ」３０１の下には、ＤＣＦディレクトリ（例えば、「１０１ＡＡＡＡＡ」３０２、「１０２ＡＡＡＡＡ」３０８）が配置される。このＤＣＦディレクトリ（フォルダ）のディレクトリ名は８文字であり、第１文字乃至第３文字は１００から９９９までのディレクトリ番号である。また、第４文字乃至第９文字までの５文字は、半角英数大文字のみが使用される自由文字と呼ばれる文字である。
【００４１】
また、各ＤＣＦディレクトリの下には、画像ファイルが配置される。例えば、ＤＣＦディレクトリ「１０１ＡＡＡＡＡ」３０２の下には、画像ファイル３０３乃至３０７が配置される。この画像ファイルのファイル名は、拡張子を除いて８文字であり、第１文字乃至第４文字は半角英数大文字のみが使用される自由文字である。また、第５文字乃至第８文字は０００１から９９９９のファイル番号である。なお、画像ファイル３０３乃至３０７は、撮像制御部１１０により生成された画像データにより構成される画像ファイル（画像コンテンツ）である。なお、ＪＰＥＧ（Joint Photographic Coding Experts Group）形式の場合には、静止画ファイルの拡張子として「．ＪＰＧ」が用いられる。また、ＭＰＥＧ（Moving Picture Experts Group）形式の場合には、動画ファイルの拡張子として「．ＭＰＧ」が用いられる。また、ＭＰＯ（Multi-Picture Format）形式の場合には、立体視画像の画像ファイルの拡張子として「．ＭＰＯ」が用いられる。
【００４２】
図４は、本発明の第１の実施の形態における画像コンテンツ記憶部３００に記憶される画像ファイル（画像コンテンツ）のファイル構成の基本構造の一例を模式的に示す図である。図４（ａ）には、３Ｄ画像（立体視画像）ファイルの基本構造の一例を示し、図４（ｂ）には、２Ｄ画像（平面画像）ファイルの基本構造の一例を示す。
【００４３】
図４（ａ）に示すように、３Ｄ画像ファイル４００は、画像管理情報４１０および画像情報４２０の基本構造を有するファイルである。
【００４４】
画像管理情報４１０には、画像情報４２０に格納されている画像データを管理するための各種管理情報（例えば、視点情報４１１、代表画情報４１２）が記録されている。視点情報４１１は、画像ファイル内に何視点の情報が格納されているかを示す情報であり、代表画情報４１２は、画像ファイル内に格納されている各視点のうちの代表画像に対応する視点を示す情報である。図４（ａ）に示す例では、視点として、左視点および右視点の情報が格納されているため、視点情報４１１には「２視点」が記録される。また、左視点および右視点のうち、左視点画像を代表画像とするため、代表画情報４１２には「左視点画像」が格納される。
【００４５】
画像情報４２０には、各視点情報（左視点情報４２１および右視点情報４２４）と、各視点画像情報（左視点画像情報４２２および右視点画像情報４２５）と、各視点画像データ（左視点画像データ４２３および右視点画像データ４２６）とが記録されている。
【００４６】
左視点情報４２１および右視点情報４２４には、基線長や角度等の各視点の位置に関する情報が格納される。ここで、基線長は、対応する画像ファイルの撮像時における２つの視点間の距離であり、人間の２つの目の間の長さに相当する値である。また、角度は、対応する画像ファイルの撮像時における２つの視点と、被写体（１点）とを結ぶ２線により特定される角度（その１点を中心とする角度）であり、人間の２つの目と、被写体（１点）とを結ぶ２線により特定される角度に対応する。
【００４７】
左視点画像情報４２２および右視点画像情報４２５には、対応する画像ファイルが生成（撮像）された日時、その画サイズ、サムネイル画像等が記録されている。
【００４８】
左視点画像データ４２３および右視点画像データ４２６には、本画像（左視点画像（左眼用画像）および右視点画像（右眼用画像））の画像データが記録されている。
【００４９】
例えば、２Ｄ鑑賞モードが設定されている場合において、３Ｄ画像ファイルの表示指示操作が行われた場合には、画像管理情報４１０の代表画情報４１２に記録されている視点の画像が表示される。例えば、図４（ａ）に示す例では、２Ｄ鑑賞モードが設定され、３Ｄ画像ファイルの表示指示操作が行われた場合には、画像管理情報４１０の代表画情報４１２に記録されている左視点画像の画像情報４２０に基づいて、左視点画像データ４２３がデコードされる。そして、このデコードされた左視点画像が表示される。
【００５０】
また、図４（ｂ）に示すように、２Ｄ画像ファイル４３０は、画像管理情報４４０および画像情報４５０の基本構造を有するファイルである。
【００５１】
画像管理情報４４０には、画像情報４５０に格納されている画像データを管理するための各種管理情報が記録されている。
【００５２】
画像情報４５０には、各種画像情報（図示せず）および画像データ４５１が記録されている。各種画像情報には、対応する画像が生成（撮像）された日時、その画サイズ、サムネイル画像等が記録されている。また、画像データ４５１には、本画像の画像データが記録されている。
【００５３】
［立体視画像の展開例］
図５は、本発明の第１の実施の形態における再生制御部１５０による立体視画像の展開例を模式的に示す図である。上述したように、再生制御部１５０は、ユーザにより指定された画像コンテンツを画像コンテンツ記憶部３００から取得してデコードし、デコードされた画像データを画像メモリ１６０における所定エリアに展開する。この対象画像が立体視画像である場合には、再生制御部１５０は、立体視画像を表示するための各視点画像の画像データを画像メモリ１６０における所定エリアに展開する。この場合に、撮像装置１００と接続されている相手機器によっては、各視点の画像の配置を変更して展開する必要がある場合や、各視点の画像をスクイーズして展開する必要がある場合がある。
【００５４】
図５（ａ）には、左視点画像４６１および右視点画像４６２における水平方向の長さを半分とするようにスクイーズされて、左右に連続して展開された３Ｄ画像（立体視画像）４６０の一例を示す。
【００５５】
図５（ｂ）には、左視点画像４７１および右視点画像４７２における垂直方向の長さを半分とするようにスクイーズされて、上下に連続して展開された３Ｄ画像（立体視画像）４７０の一例を示す。
【００５６】
このように、撮像装置１００と接続されている相手機器に応じて、立体視画像が展開され、この立体視画像がその相手機器に送信される。
【００５７】
［立体視画像コンテンツの抽出例］
図６は、本発明の第１の実施の形態における再生制御部１５０による立体視画像コンテンツの抽出処理を模式的に示す図である。
【００５８】
図６（ａ）には、画像コンテンツ記憶部３００に記憶されている画像コンテンツ５０１乃至５０９を模式的に示す。画像コンテンツ５０１乃至５０９は、フォルダ５００に属する画像コンテンツである。フォルダ５００は、例えば、同一の撮影日時に撮影された画像コンテンツを格納するフォルダである。また、３Ｄ画像コンテンツ５０１、５０４、５０５、５０８は、立体視画像コンテンツであり、２Ｄ画像コンテンツ５０２、５０６、５０７、５０９は、平面画像コンテンツであり、動画コンテンツ５０３は、動画コンテンツであるものとする。
【００５９】
例えば、ユーザ操作により、３Ｄ鑑賞モードの設定操作が行われた場合には、ＵＩ制御部１４０の制御に基づいて、再生制御部１５０が、再生対象となる画像を含むフォルダに属する各画像コンテンツのうちから立体視画像コンテンツを抽出する。この場合には、再生制御部１５０は、例えば、各画像コンテンツの拡張子に基づいて立体視画像コンテンツを抽出する。また、画像管理情報記憶部３１０に記憶されている画像管理情報に基づいて立体視画像コンテンツを抽出するようにしてもよい。
【００６０】
図６（ｂ）には、フォルダ５００に属する画像コンテンツ５０１乃至５０９のうちから抽出された立体視画像コンテンツ（３Ｄ画像コンテンツ群５１０内に示す）を模式的に示す。このように、ユーザ操作により３Ｄ鑑賞モードの設定操作が行われた場合には、再生制御部１５０が立体視画像コンテンツを抽出し、抽出された立体視画像コンテンツを画像メモリ１６０に展開する。そして、画像メモリ１６０に展開された立体視画像が表示装置２００に連続して表示される。
【００６１】
［撮像装置および表示装置における平面画像の表示例］
図７は、本発明の第１の実施の形態における表示部１８０（撮像装置１００）および表示部２２０（表示装置２００）の表示例を示す図である。なお、以下で示す表示例では、説明の容易のため、撮像装置１００の表示部１８０よりも表示装置２００の表示部２２０を小さくして示す。
【００６２】
図７には、２Ｄ鑑賞モードが設定されている場合における画送り操作による表示遷移例を示す。図７（ａ）には、３Ｄ画像コンテンツ（荒野に延びる一本道を含む景色）が２Ｄ画像として表示されている場合における表示例を示す。また、図７（ｂ）には、動画コンテンツ（まな板に乗ったイカ飯に関する動画）が２Ｄ画像（代表画像（例えば、先頭フレーム））として表示されている場合における表示例を示す。また、図７（ｃ）には、２Ｄ画像コンテンツ（蟹）が２Ｄ画像として表示されている場合における表示例を示す。これらの画送りまたは画戻しは、例えば、十字ボタン１３２の左右ボタンの押下操作により行うことができる。また、例えば、画送り操作または画戻し操作が行われる毎に、同一フォルダに属する画像コンテンツを順次表示させることができる。
【００６３】
また、図７に示すように、２Ｄ鑑賞モードが設定されている場合には、表示部１８０（撮像装置１００）および表示部２２０（表示装置２００）に略同一の画像が表示される。また、図７（ａ）および（ｂ）に示すように、表示部１８０（撮像装置１００）および表示部２２０（表示装置２００）には、２Ｄ画像に操作支援情報６０１または６０２が重ねて表示される。
【００６４】
ここで、操作支援情報６０１および６０２は、例えば、ユーザが画像コンテンツの再生を行う際にその操作を支援するための情報である。この操作支援情報として、例えば、表示対象となる画像に関する各画像情報（例えば、撮影日時、画像サイズ）、操作部材（例えば、画送りボタン、画戻しボタン、停止ボタン）、操作を支援するための操作ガイド情報、各種情報を表すアイコンが表示される。
【００６５】
具体的には、操作支援情報６０１は、表示対象となる画像が３Ｄ画像である場合に、この３Ｄ画像を表示装置２００に表示させるための指示操作を支援するための操作ガイドを示す文字である。また、操作支援情報６０２は、表示対象となる画像が動画である場合に、この動画の再生を開始させるための指示操作を支援するための操作ガイドを示す文字である。
【００６６】
なお、この例では、操作支援情報として、操作支援情報６０１または６０２を表示する場合を示すが、他の操作支援情報を表示するようにしてもよい。なお、操作支援情報６０１は、２Ｄ画像に重ねて表示されるため、２Ｄ画像が見易いように、２Ｄ画像の端部（例えば、２Ｄ画像の上部または下部）に表示させることが好ましい。また、操作支援情報６０２は、２Ｄ画像に重ねて表示されるが、この２Ｄ画像に対応する動画の開始を促すため、２Ｄ画像の中央部分に目立つように表示させることが好ましい。
【００６７】
このように、画像コンテンツを２Ｄ画像として順次表示させる場合には、表示装置２００が２Ｄ鑑賞モードに設定されている状態で、画送りまたは画戻しを行うことができる。また、画送りを一定時間毎に自動で行う自動再生モードを設定することにより、ユーザが画送り操作を行わずに、２Ｄ画像を順次表示させることができる。
【００６８】
ここで、例えば、表示装置２００において２Ｄ鑑賞モードから３Ｄ鑑賞モードへの切替処理を行う場合には、接続先の表示装置によっては、その切替処理に複雑な手順が必要となり、その処理時間が比較的長くなることがある（例えば、５秒程度）。このため、例えば、撮像装置１００における３Ｄ鑑賞モードの設定操作が行われた直後には、表示装置２００に表示対象画像（３Ｄ画像）が表示されない状態となることが想定される。すなわち、図７（ａ）に示す表示画面において、３Ｄ鑑賞モードの設定操作（十字ボタン１３２の下ボタンの押下操作）が行われた直後には、表示装置２００に表示対象画像（３Ｄ画像）が表示されない状態となる期間がある。
【００６９】
また、接続先の表示装置によっては、３Ｄ鑑賞モードの設定完了が撮像装置１００に通知されないものも存在する。このように、３Ｄ鑑賞モードの設定完了が撮像装置１００に通知されない場合において、３Ｄ鑑賞モードの設定操作時に自動再生モードが設定されている場合を想定する。この場合には、表示装置２００に表示対象画像（３Ｄ画像）が表示されていないにもかかわらず、撮像装置１００において画送り処理が行われることが想定される。このため、２Ｄ鑑賞モードから３Ｄ鑑賞モードへの切替処理時に自動再生モードが設定されている場合には、その切替操作時における先頭画像から所定枚数の画像（３Ｄ画像）をユーザが見ることができないおそれがある。
【００７０】
また、表示対象画像として２Ｄ画像および３Ｄ画像が混在している場合（例えば、同一フォルダ内に混在している場合）において、これらを画送り操作または自動再生モードにより順次表示させることも想定される。この場合に、表示対象画像の種類に応じて、表示装置２００の鑑賞モードを設定すると、２Ｄ鑑賞モードから３Ｄ鑑賞モードへの切替処理、および、３Ｄ鑑賞モードから２Ｄ鑑賞モードへの切替処理が頻繁に行われる可能性がある。しかしながら、このように鑑賞モードの切替処理が頻繁に行われる場合には、上述したように、その切替処理の直後には、表示装置２００に所望の画像が表示されないおそれがある。
【００７１】
そこで、本発明の第１の実施の形態では、３Ｄ鑑賞モードへの切替操作が行われた場合には、手動再生モードを設定し、３Ｄ画像コンテンツのみを抽出する。そして、この抽出された３Ｄ画像コンテンツを表示装置２００に連続して表示させる。この場合に、表示部１８０（撮像装置１００）にはその３Ｄ画像を表示させずに、操作支援情報のみを表示させる。この表示例を図８（ｂ）に示す。また、３Ｄ鑑賞モードが設定されている場合には、ユーザ操作により手動再生モードから自動再生モードへの切替を行うことができる。この表示例を図８（ｂ）および（ｃ）に示す。なお、３Ｄ鑑賞モードから２Ｄ鑑賞モードへの切替操作が行われた際に自動再生モードが設定されている場合についても同様に、手動再生モードを設定するようにしてもよい。
【００７２】
［撮像装置および表示装置における表示遷移例］
図８は、本発明の第１の実施の形態における表示部１８０（撮像装置１００）および表示部２２０（表示装置２００）の表示例を示す図である。なお、図８（ａ）は、図７（ａ）に示す表示例と同様であるため、ここでの説明を省略する。
【００７３】
図８（ａ）に示す表示画面が表示されている場合において、３Ｄ鑑賞モードを設定する設定操作を行う場合には、操作支援情報６０１に従って、十字ボタン１３２の下ボタンを押下する。この下ボタンの押下操作が行われると、ＵＩ制御部１４０が、３Ｄ鑑賞モードの設定を指示する設定情報を表示装置２００に送信し、撮像装置１００において手動再生モードを設定する。また、図６に示すように、再生制御部１５０が、ＵＩ制御部１４０の制御に基づいて、画像コンテンツ記憶部３００に記憶されている画像コンテンツのうちから、３Ｄ画像コンテンツを抽出する。この場合に、例えば、画像コンテンツ記憶部３００から、全ての３Ｄ画像コンテンツを抽出するようにしてもよく、３Ｄ鑑賞モードの設定操作時に表示されていた画像が属するフォルダ内における３Ｄ画像コンテンツのみを抽出するようにしてもよい。また、例えば、抽出対象となる３Ｄ画像コンテンツの上限を設定しておき、この上限の数となるまで、３Ｄ画像コンテンツの抽出を行うようにしてもよい。
【００７４】
ここで、例えば、撮像装置１００からの３Ｄ鑑賞モードの設定情報を表示装置２００が受信した場合には、表示装置２００において３Ｄ鑑賞モードへの切替処理が行われる。この切替処理中には、表示装置２００の表示部２２０には、３Ｄ鑑賞モードへの切替処理中である旨を示す画像が表示される。この３Ｄ鑑賞モードへの切替処理中である旨を示す画像として、例えば、単色画像（例えば、黒画像）や、切替処理中であることを示すアイコンを黒画像に重ねた画像等を表示することができる。また、３Ｄ鑑賞モードへの切替処理が終了した場合には、表示装置２００は、その画像を消去し、撮像装置１００から受信した画像情報に基づいて３Ｄ画像を表示する。この表示例を図８（ｂ）に示す。
【００７５】
図８（ｂ）には、表示部２２０（表示装置２００）に３Ｄ画像が表示されている場合における表示例（手動再生モード設定時）を示す。このように、表示部２２０に３Ｄ画像が表示されている場合には、表示部１８０（撮像装置１００）にはその３Ｄ画像を表示されず、操作支援情報６０３乃至６０６が表示される。なお、操作支援情報６０３は、表示対象となる３Ｄ画像をスクロール操作する場合における指示操作を支援するための操作ガイドを示す文字である。例えば、操作支援情報６０３は、決定ボタン１３３を押下することにより、表示対象となる３Ｄ画像をスクロール操作することができる旨を示す。また、操作支援情報６０４は、表示対象となる３Ｄ画像の画送り操作、または、画戻し操作を支援するための操作ガイドを示す文字である。また、操作支援情報６０５は、表示対象となる３Ｄ画像の連続再生を開始させる指示操作（自動再生モードの設定操作）を支援するための操作ガイドを示す文字である。例えば、操作支援情報６０５は、十字ボタン１３２の下ボタンを押下することにより、自動再生モードを設定することができる旨を示す。また、操作支援情報６０６は、３Ｄ鑑賞モードを終了して２Ｄ鑑賞モードを設定する指示操作（２Ｄ鑑賞モードの設定操作）を支援するための操作ガイドを示す文字である。例えば、操作支援情報６０６は、ズームボタン１３５のＷボタンを押下することにより、２Ｄ鑑賞モードを設定することができる旨を示す。
【００７６】
ここで、３Ｄ鑑賞モードの設定後に表示される３Ｄ画像について説明する。図８（ａ）に示すように、３Ｄ画像コンテンツに基づく２Ｄ画像が表示部１８０に表示されている際に３Ｄ鑑賞モードの設定操作が行われた場合には、３Ｄ鑑賞モードの設定後にはその３Ｄ画像が表示部２２０に表示される。例えば、図６に示す３Ｄ画像コンテンツ５０１、５０４、５０５、５０８に基づく２Ｄ画像が表示部１８０に表示されている際に３Ｄ鑑賞モードの設定操作が行われた場合には、３Ｄ鑑賞モードの設定後にはその３Ｄ画像が表示部２２０に表示される。
【００７７】
また、３Ｄ画像コンテンツ以外の画像コンテンツに基づく２Ｄ画像が表示部１８０に表示されている際に３Ｄ鑑賞モードの設定操作が行われた場合には、３Ｄ鑑賞モードの設定後にはその表示画像の近傍に位置する３Ｄ画像が表示部２２０に表示される。なお、表示画像（３Ｄ鑑賞モードの設定操作時に表示部１８０に表示されていた２Ｄ画像）の近傍に位置する３Ｄ画像は、例えば、再生順序がその表示画像の後に位置する３Ｄ画像コンテンツのうちの先頭の３Ｄ画像コンテンツとすることができる。例えば、図６に示す２Ｄ画像コンテンツ５０２または動画コンテンツ５０３に基づく２Ｄ画像が表示部１８０に表示されている際に３Ｄ鑑賞モードの設定操作が行われた場合を想定する。この場合には、３Ｄ鑑賞モードの設定後には３Ｄ画像コンテンツ５０４に基づく３Ｄ画像が表示部２２０に表示される。同様に、例えば、図６に示す２Ｄ画像コンテンツ５０６または５０７に基づく２Ｄ画像が表示部１８０に表示されている際に３Ｄ鑑賞モードの設定操作が行われた場合を想定する。この場合には、３Ｄ鑑賞モードの設定後には３Ｄ画像コンテンツ５０８に基づく３Ｄ画像が表示部２２０に表示される。
【００７８】
なお、２Ｄ鑑賞モードの設定後には、例えば、２Ｄ鑑賞モードの設定操作時に表示部２２０に表示されていた３Ｄ画像が２Ｄ画像として表示される。
【００７９】
上述したように、３Ｄ鑑賞モードが設定された直後には、手動再生モードが設定される。このため、表示装置２００における３Ｄ鑑賞モードへの切替処理が終了するまでの間に、ユーザが意図しない３Ｄ画像の画送りが行われることを防止することができる。また、３Ｄ鑑賞モードの設定中には、ユーザ操作により手動再生モードから自動再生モードへの切替操作を行うことができる。この表示例を図８（ｂ）および（ｃ）に示す。これにより、ユーザが所望の３Ｄ画像を好みに応じて楽しむことができる。
【００８０】
図８（ｃ）には、表示部２２０（表示装置２００）に３Ｄ画像が表示されている場合における表示例（自動再生モード設定時）を示す。このように、自動再生モードが設定された場合には、表示部１８０（撮像装置１００）には操作支援情報６０７および６０８が表示される。なお、操作支援情報６０７は、自動再生モードが設定されている旨を示す文字である。操作支援情報６０８は、連続再生が行われている場合にその連続再生を停止させる場合における指示操作を支援するための操作ガイドを示す文字である。例えば、操作支援情報６０８は、決定ボタン１３３および他の操作部材（例えば、操作ボタン１３４）を同時に押下することにより、その連続再生を停止させることができる旨を示す。すなわち、図８（ｃ）に示す表示画面が表示されている場合に、決定ボタン１３３および他の操作部材（例えば、操作ボタン１３４）を同時に押下することにより、自動再生モードから手動再生モードへの切替操作を行うことができる。
【００８１】
図８では、表示部１８０に２Ｄ画像が表示されている場合に、この２Ｄ画像に重ねて表示されている操作支援情報６０１に従って、３Ｄ鑑賞モードを設定する例を示した。次に、メニュー画面の表示指示操作により、表示部１８０にメニュー画面を表示させ、このメニュー画面に表示されている操作支援情報に従って、３Ｄ鑑賞モードを設定する例を示す。
【００８２】
図９は、本発明の第１の実施の形態における表示部１８０（撮像装置１００）および表示部２２０（表示装置２００）の表示例を示す図である。なお、図９（ｂ）および（ｃ）は、図８（ｂ）および（ｃ）に示す表示例と同様であるため、ここでの説明を省略する。
【００８３】
図９（ａ）には、メニューボタン（図示せず）が押下された後に表示部１８０に表示される表示画面を示す。このように、メニューボタン（図示せず）が押下されると、表示部１８０にメニュー画面が表示される。図９（ａ）では、３Ｄ画像コンテンツの２Ｄ画像を背景画像とし、この背景画像上にメニュー項目（操作支援情報６１１乃至６１３）を重ねて表示させる例を示す。
【００８４】
操作支援情報６１１は、スライドショーを行う場合に押下操作が行われる操作ボタンである。操作支援情報６１２は、音量調整を行う場合に押下操作が行われる操作ボタンである。操作支援情報６１３は、３Ｄ鑑賞モードを設定する場合に押下操作が行われる操作ボタンである。すなわち、十字ボタン１３２を用いて、操作支援情報６１３を選択状態とし、決定ボタン１３３を押下することにより、３Ｄ鑑賞モードの設定操作を行うことができる。このように、３Ｄ鑑賞モードが設定された場合には、図８（ｂ）と同様に、３Ｄ鑑賞モードにおける表示画面が表示される。
【００８５】
ここで、装置間インターフェースを介して接続されている接続先の機器が、３Ｄ画像を表示することができない機器である場合も想定される。また、３Ｄ鑑賞モードの設定操作が行われた際に、撮像装置１００に表示装置２００が接続されていない場合も想定される。そこで、接続先の機器が、３Ｄ画像を表示することができない機器である場合や、撮像装置１００に表示装置２００が接続されていない場合には、図８（ａ）および図９（ａ）に示す３Ｄ鑑賞モードの設定操作が行われた後に、その旨を表示することができる。この表示例を図１０に示す。
【００８６】
図１０は、本発明の第１の実施の形態における表示部１８０（撮像装置１００）の表示例を示す図である。この例では、撮像装置１００に表示装置２００が接続されていない場合における表示例を示す。
【００８７】
図１０に示すように、撮像装置１００に表示装置２００が接続されていない場合において、図８（ａ）および図９（ａ）に示す３Ｄ鑑賞モードの設定操作が行われた場合には、例えば、メッセージ「３ＤＴＶに接続されていません」が表示部１８０に表示される。これにより、撮像装置１００に表示装置２００が接続されていないことをユーザが迅速に把握することができる。
【００８８】
また、３Ｄ画像コンテンツ（３Ｄ画像ファイル）がコピーされた場合やリネームされた場合等は、そのコピー後またはリネーム後の画像コンテンツが立体視画像を表示することができない場合も想定される。このようにコピーやリネーム等により立体視画像を表示することができなくなった３Ｄ画像コンテンツについて、ユーザ操作により３Ｄ画像の再生指示が行われた場合には、立体視画像の表示ができない旨の警告をユーザに通知することができる。例えば、その警告（立体視画像の再生不可警告）として、「３Ｄ画像を表示することができません」等のメッセージを表示部１８０に表示させることができる。
【００８９】
［撮像装置の動作例］
図１１および図１２は、本発明の第１の実施の形態における撮像装置１００による画像コンテンツ再生処理の処理手順の一例を示すフローチャートである。この例では、撮像装置１００に記憶されている画像コンテンツを、手動再生モードまたは自動再生モードにより表示装置２００に表示させる場合を例にして説明する。また、撮像装置１００の表示部１８０には、２次元画像のみを表示させる場合を例にして説明する。なお、表示装置２００の動作例については、図１４および図１５を参照して詳細に説明する。
【００９０】
最初に、ユーザ操作により撮像装置１００の電源をオンする操作入力が受け付けられると、撮像装置１００が起動する。そして、装置間インターフェース２０が接続されたか否かが判断される（ステップＳ９０１）。すなわち、装置間インターフェース２０を介して表示装置２００と接続されたか否かが判断される。
【００９１】
装置間インターフェース２０が接続されていない場合には（ステップＳ９０１）、ユーザからの操作入力に応じた各種処理が行われる（ステップＳ９０２）。一方、装置間インターフェース２０が接続された場合（装置間インターフェース２０を介して表示装置２００と接続された場合）には（ステップＳ９０２）、機器情報の送信要求が表示装置２００に送信される（ステップＳ９０３）。この機器情報は、接続先の表示装置に関する情報であり、例えば、立体視画像の表示機能を備えるか否か、立体視画像を表示するための各方式等を含む情報である。その各方式として、例えば、立体視画像を表示するための各視点画像を左右に分割して送信するＳｂＳ方式（サイド・バイ・サイド方式）であるか、立体視画像を表示するための各視点画像を上下に分割して送信するＯａＵ方式であるか等の情報が含まれる。
【００９２】
続いて、表示装置２００から機器情報を受信したか否かが判断され（ステップＳ９０４）、受信していない場合には監視を継続して行う。一方、表示装置２００から機器情報を受信した場合には（ステップＳ９０４）、２Ｄ鑑賞モードの設定情報が表示装置２００に送信される（ステップＳ９０５）。すなわち、ＵＩ制御部１４０が、情報入出力部１９０を介して２Ｄ鑑賞モードの設定情報を表示装置２００に送信する。これにより、表示装置２００において２Ｄ鑑賞モードが設定される。また、ユーザが必要に応じて、専用メガネを装着する。
【００９３】
続いて、画送り操作または画戻し操作が行われたか否かが判断される（ステップＳ９０６）。画送り操作または画戻し操作が行われていない場合には（ステップＳ９０６）、メニュー画面の表示指示操作が行われたか否かが判断される（ステップＳ９０７）。メニュー画面の表示指示操作が行われていない場合には（ステップＳ９０７）、ユーザからの操作入力に応じた各種処理が行われ（ステップＳ９０８）、ステップＳ９０６に戻る。一方、メニュー画面の表示指示操作が行われた場合には（ステップＳ９０７）、表示部１８０にメニュー画面が表示される（ステップＳ９０９）。例えば、表示制御部１７０がメニュー画面を表示部１８０に表示させる。続いて、メニュー画面において３Ｄ鑑賞モードの設定操作が行われたか否かが判断され（ステップＳ９１０）、３Ｄ鑑賞モードの設定操作が行われていない場合には、ステップＳ９０８に戻る。一方、３Ｄ鑑賞モードの設定操作が行われた場合には（ステップＳ９１０）、ステップＳ９１６に進む。
【００９４】
また、画送り操作または画戻し操作が行われた場合には（ステップＳ９０６）、その操作入力（画送り操作または画戻し操作）に応じて、表示対象画像が選択される（ステップＳ９１１）。すなわち、再生制御部１５０が、その操作入力に応じて、画像コンテンツ記憶部３００から画像コンテンツを取得してデコードし、デコードされた画像データを画像メモリ１６０における所定エリアに展開する。
【００９５】
続いて、表示対象画像が３Ｄ画像であるか否かが判断される（ステップＳ９１２）。すなわち、再生制御部１５０による画像コンテンツの判別結果に基づいて、ＵＩ制御部１４０が３Ｄ画像であるか否かを判断する。表示対象画像が３Ｄ画像でない場合（表示対象画像が２Ｄ画像である場合）には（ステップＳ９１２）、その２Ｄ画像が表示部１８０（撮像装置１００）および表示部２２０（表示装置２００）に表示される（ステップＳ９１３）。すなわち、表示制御部１７０が、画像メモリ１６０に保持されている２Ｄ画像を表示部１８０に表示させ、これと略同一の画像を表示させるための画像情報を情報入出力部１９０を介して表示装置２００に出力する。この場合に、必要に応じて、２Ｄ画像には操作支援情報が重ねて表示される。
【００９６】
また、表示対象画像が３Ｄ画像である場合には（ステップＳ９１２）、表示対象となる３Ｄ画像を２Ｄ画像とし、この２Ｄ画像が表示部１８０および表示部２２０に表示される（ステップＳ９１４）。すなわち、表示制御部１７０が、画像メモリ１６０に保持されている３Ｄ画像を２Ｄ画像とし、この２Ｄ画像を表示部１８０に表示させ、これと略同一の画像を表示させるための画像情報を情報入出力部１９０を介して表示装置２００に出力する。この場合に、必要に応じて、２Ｄ画像には操作支援情報が重ねて表示される。なお、ステップＳ９１１乃至Ｓ９１４は、特許請求の範囲に記載の第１手順の一例である。続いて、３Ｄ鑑賞モードの設定操作が行われたか否かが判断され（ステップＳ９１５）、３Ｄ鑑賞モードの設定操作が行われていない場合には、ステップＳ９０６に戻る。
【００９７】
また、３Ｄ鑑賞モードの設定操作が行われた場合には（ステップＳ９１０）、装置間インターフェース２０を介して接続された相手先の表示装置が３Ｄ画像の表示機能を備えるか否かが判断される（ステップＳ９１６）。例えば、ステップＳ９０４において、受信した機器情報に基づいて、相手先の表示装置が３Ｄ画像の表示機能を備えるか否かが判断される。そして、相手先の表示装置が３Ｄ画像の表示機能を備えていない場合には（ステップＳ９１６）、接続された相手先の表示装置に３Ｄ画像を表示することができない旨が表示部１８０に表示され（ステップＳ９１７）、ステップＳ９０６に戻る。
【００９８】
一方、相手先の表示装置が３Ｄ画像の表示機能を備えている場合には（ステップＳ９１６）、３Ｄ鑑賞モードの設定情報が表示装置２００に送信される（ステップＳ９１８）。すなわち、ＵＩ制御部１４０が、情報入出力部１９０を介して３Ｄ鑑賞モードの設定情報を表示装置２００に送信する。これにより、表示装置２００において３Ｄ鑑賞モードの切替処理が開始される。
【００９９】
続いて、撮像装置１００において手動再生モードが設定され（ステップＳ９１９）、表示対象画像が属するフォルダから３Ｄ画像コンテンツが抽出される（ステップＳ９２０）。すなわち、ＵＩ制御部１４０が、手動再生モードを設定し、表示対象画像が属するフォルダから３Ｄ画像コンテンツを抽出する。この場合に、例えば、画像コンテンツ記憶部３００から全ての３Ｄ画像コンテンツを抽出するようにしてもよい。なお、３Ｄ鑑賞モードの設定操作が行われた際に撮像装置１００において手動再生モードが設定されていた場合には、再生モードの設定変更は行われない。
【０１００】
続いて、３Ｄ画像表示処理が行われる（ステップＳ９３０）。この３Ｄ画像表示処理については、図１３を参照して詳細に説明する。
【０１０１】
続いて、コンテンツ再生終了指示操作が行われたか否かが判断され（ステップＳ９２１）、コンテンツ再生終了指示操作が行われた場合には、画像コンテンツ再生処理の動作を終了する。一方、コンテンツ再生終了指示操作が行われていない場合には（ステップＳ９２１）、ステップＳ９０６に戻る。
【０１０２】
図１３は、本発明の第１の実施の形態における撮像装置１００による画像コンテンツ再生処理の処理手順のうちの３Ｄ画像表示処理（図１２に示すステップＳ９３０の処理手順）の一例を示すフローチャートである。
【０１０３】
最初に、表示対象となる３Ｄ画像が表示部２２０に表示される（ステップＳ９３１）。すなわち、表示制御部１７０が、操作支援画像を表示部１８０に表示させるとともに、画像メモリ１６０に保持されている３Ｄ画像を表示させるための画像情報を情報入出力部１９０を介して表示装置２００に出力する。
【０１０４】
続いて、画送り操作または画戻し操作が行われたか否かが判断され（ステップＳ９３２）、画送り操作または画戻し操作が行われていない場合には、ステップＳ９３５に進む。一方、画送り操作または画戻し操作が行われた場合には（ステップＳ９３２）、ステップＳ９２０において抽出された３Ｄ画像の中から、その操作入力（画送り操作または画戻し操作）に応じて、表示対象画像が選択される（ステップＳ９３３）。すなわち、再生制御部１５０が、抽出された３Ｄ画像コンテンツの中から、その操作入力に応じて画像コンテンツを取得してデコードし、デコードされた画像データを画像メモリ１６０における所定エリアに展開する。
【０１０５】
続いて、操作支援情報が表示部１８０（撮像装置１００）に表示され、表示対象となる３Ｄ画像が表示部２２０（表示装置２００）に表示される（ステップＳ９３４）。すなわち、表示制御部１７０が、操作支援情報を表示部１８０に表示させ、画像メモリ１６０に保持されている３Ｄ画像を表示装置２００に表示させる。この場合に、表示装置２００には操作支援情報が表示されずに３Ｄ画像のみが表示され、表示部１８０には３Ｄ画像が表示されずに操作支援情報のみが表示される。
【０１０６】
続いて、自動再生モードの設定操作が行われたか否かが判断され（ステップＳ９３５）、自動再生モードの設定操作が行われていない場合には、ステップＳ９４０に進む。一方、自動再生モードの設定操作が行われた場合には（ステップＳ９３５）、撮像装置１００において自動再生モードが設定され（ステップＳ９３６）、抽出された３Ｄ画像が表示装置２００に順次表示される（ステップＳ９３７）。すなわち、ＵＩ制御部１４０が、自動再生モードを設定し、再生制御部１５０が、抽出された３Ｄ画像コンテンツをデコードし、デコードされた画像データを画像メモリ１６０における所定エリアに展開する。そして、表示制御部１７０が、画像メモリ１６０に保持されている３Ｄ画像を表示装置２００に一定時間毎に順次表示させる。
【０１０７】
続いて、手動再生モードの設定操作が行われたか否かが判断される（ステップＳ９３８）。自動再生モードの設定操作が行われた場合には（ステップＳ９３８）、撮像装置１００において手動再生モードが設定され（ステップＳ９３９）、ステップＳ９３２に戻る。一方、自動再生モードの設定操作が行われていない場合には（ステップＳ９３８）、２Ｄ鑑賞モードの設定操作が行われたか否かが判断される（ステップＳ９４０）。そして、２Ｄ鑑賞モードの設定操作が行われていない場合には（ステップＳ９４０）、自動再生モードが設定されているか否かが判断され（ステップＳ９４１）、自動再生モードが設定されている場合には、ステップＳ９３７に戻る。一方、自動再生モードが設定されていない場合（すなわち、手動再生モードが設定されている場合）には（ステップＳ９４１）、ステップＳ９３２に戻る。
【０１０８】
また、２Ｄ鑑賞モードの設定操作が行われた場合には（ステップＳ９４０）、２Ｄ鑑賞モードの設定情報が表示装置２００に送信される（ステップＳ９４２）。なお、２Ｄ鑑賞モードの設定操作が行われた場合には、ユーザの意図しない画送りを防止するため、撮像装置１００において手動再生モードを設定するようにしてもよい。
【０１０９】
［表示装置の動作例］
図１４および図１５は、本発明の第１の実施の形態における表示装置２００による画像コンテンツ再生処理の処理手順の一例を示すフローチャートである。この例では、撮像装置１００に記憶されている画像コンテンツを、手動再生モードまたは自動再生モードにより表示装置２００に表示させる場合を例にして説明する。
【０１１０】
最初に、ユーザ操作により表示装置２００の電源をオンする操作入力が受け付けられると、表示装置２００が起動する。続いて、装置間インターフェース２０が接続されたか否かが判断される（ステップＳ９５１）。すなわち、装置間インターフェース２０を介して撮像装置１００と接続されたか否かが判断される。
【０１１１】
装置間インターフェース２０が接続されていない場合には（ステップＳ９５１）、ユーザからの操作入力に応じた各種処理が行われる（ステップＳ９５２）。一方、装置間インターフェース２０が接続された場合（装置間インターフェース２０を介して撮像装置１００と接続された場合）には（ステップＳ９５１）、接続先（撮像装置１００）から機器情報の送信要求を受信したか否かが判断される（ステップＳ９５３）。そして、接続先から機器情報の送信要求を受信するまでの間、監視を継続して行う。
【０１１２】
また、接続先から機器情報の送信要求を受信した場合には（ステップＳ９５３）、接続先（撮像装置１００）に機器情報が送信され（ステップＳ９５４）、２Ｄ鑑賞モードが設定される（ステップＳ９５５）。そして、２Ｄ画像の表示処理が行われる。すなわち、撮像装置１００から送信された画像情報に基づいて、表示部２２０に２Ｄ画像を表示させる。また、ユーザが必要に応じて、専用メガネを装着する。
【０１１３】
続いて、撮像装置１００からの３Ｄ鑑賞モードの設定情報を受信したか否かが判断され（ステップＳ９５７）、３Ｄ鑑賞モードの設定情報を受信していない場合には、ステップＳ９６６に進む。一方、３Ｄ鑑賞モードの設定情報を受信した場合には（ステップＳ９５７）、３Ｄ鑑賞モードの設定処理（２Ｄ鑑賞モードからの切替処理）が行われる（ステップＳ９５８）。
【０１１４】
続いて、３Ｄ鑑賞モードの設定処理中（切替処理中）である旨を示す画像（例えば、黒画像）が表示部２２０に表示され（ステップＳ９５９）、３Ｄ鑑賞モードの設定処理が終了したか否かが判断される（ステップＳ９６０）。３Ｄ鑑賞モードの設定処理が終了していない場合には（ステップＳ９６０）、撮像装置１００からの画像情報（３Ｄ画像）を受信したか否かが判断され（ステップＳ９６１）、撮像装置１００からの画像情報を受信していない場合には、ステップＳ９６３に進む。一方、撮像装置１００から画像情報を受信した場合には（ステップＳ９６１）、受信した画像情報（３Ｄ画像）に含まれる各視点画像が所定の表示領域に転送される（ステップＳ９６２）。そして、表示部２２０に３Ｄ画像が表示中であるか否かが判断される（ステップＳ９６３）。ここで、切替処理中である場合には、表示部２２０に３Ｄ画像が表示されていないため、３Ｄ画像の表示中でないと判断され（ステップＳ９６３）、ステップＳ９５８に戻る。一方、切替処理が終了して表示部２２０に３Ｄ画像が表示されている場合には（ステップＳ９６３）、ステップＳ９６５に進む。
【０１１５】
また、３Ｄ鑑賞モードの設定処理が終了した場合には（ステップＳ９６０）、切替処理中である旨を示す画像（例えば、黒画像）が表示部２２０から消去される（ステップＳ９６４）。続いて、撮像装置１００から受信した画像情報（３Ｄ画像）について所定の表示領域に転送された各視点画像が、表示装置２００の表示周期毎に、３Ｄ画像として表示部２２０に表示される（ステップＳ９６５）。
【０１１６】
続いて、撮像装置１００からの２Ｄ鑑賞モードの設定情報を受信したか否かが判断され（ステップＳ９６６）、２Ｄ鑑賞モードの設定情報を受信した場合には、ステップＳ９５５に戻る。一方、２Ｄ鑑賞モードの設定情報を受信していない場合には（ステップＳ９６６）、コンテンツ再生終了指示操作が行われたか否かが判断され（ステップＳ９６７）、コンテンツ再生終了指示操作が行われた場合には、画像コンテンツ再生処理の動作を終了する。一方、コンテンツ再生終了指示操作が行われていない場合には（ステップＳ９６７）、２Ｄ鑑賞モードが設定されているか否かが判断され（ステップＳ９６８）、２Ｄ鑑賞モードが設定されている場合には、ステップＳ９５６に戻る。また、２Ｄ鑑賞モードが設定されていない場合（すなわち、３Ｄ鑑賞モードが設定されている場合）には（ステップＳ９６８）、ステップＳ９６１に戻る。
【０１１７】
以上で示したように、本発明の第１の実施の形態によれば、３Ｄ鑑賞モードが設定された場合には、画像コンテンツ記憶部３００から立体視画像コンテンツのみを抽出し、この抽出された立体視画像のみを連続して表示させる。これにより、例えば、同一フォルダ内に２Ｄ画像および３Ｄ画像が混在して格納されている場合に、画送り・画戻し操作、または、連続再生処理が行われても、そのフォルダに属する３Ｄ画像のみを連続して表示させることができる。この場合に、ユーザによる２Ｄ鑑賞モードの設定操作が行われるまでの間、表示装置２００において鑑賞モードの切替処理が行われないため、表示装置２００における３Ｄ画像の表示が途切れることない。このため、ユーザに待たせることなく、ユーザが迫力ある３Ｄ画像を連続して堪能することができ、３Ｄ画像を見易くすることができる。また、２Ｄ鑑賞モードおよび３Ｄ鑑賞モードの切替処理によるシステムの複雑化を軽減することができる。
【０１１８】
また、３Ｄ鑑賞モードの設定時には、撮像装置１００において手動再生モードが設定されるため、表示装置２００における切替処理時に、ユーザの意図しない画送りが行われることを防止することができる。これにより、３Ｄ鑑賞モードの設定後、ユーザの所望する３Ｄ画像を迅速に鑑賞することができ、３Ｄ画像を見易くすることができる。
【０１１９】
＜２．変形例＞
以上では、撮像装置１００に備えられている操作ボタン（１３１乃至１３５）を用いて３Ｄ鑑賞モードの設定操作等を行う例を示した。この変形例では、表示部１８０をタッチパネルで構成し、このタッチパネルを用いて３Ｄ鑑賞モードの設定操作等を行う例を示す。なお、撮像装置１００および表示装置２００の構成等については、表示部１８０をタッチパネルで構成する点以外は、本発明の第１の実施の形態と同様である。このため、以下では、本発明の第１の実施の形態と異なる点を中心にして説明し、共通する部分の説明の一部を省略する。
【０１２０】
［撮像装置および表示装置における平面画像の表示例］
図１６は、本発明の第１の実施の形態の変形例における表示部１８０（撮像装置１００）および表示部２２０（表示装置２００）の表示例を示す図である。なお、図１６（ｂ）および（ｃ）は、図７（ｂ）および（ｃ）に示す表示例と同様であるため、ここでの説明を省略する。
【０１２１】
図１６（ａ）には、３Ｄ画像コンテンツ（荒野に延びる一本道を含む景色）が２Ｄ画像として表示されている場合における表示例を示す。また、図１６（ａ）に示すように、表示部１８０（撮像装置１００）および表示部２２０（表示装置２００）には、２Ｄ画像に操作支援情報６２１が重ねて表示される。操作支援情報６２１は、表示対象となる画像が３Ｄ画像である場合に、この３Ｄ画像を表示装置２００に表示させるための指示操作を支援するための操作ガイドを示すものである。具体的には、ユーザが操作支援情報６２１に対応する矩形領域を接触するタッチ操作を行うことにより、３Ｄ鑑賞モードを設定することができる。
【０１２２】
なお、図１６（ａ）に示す表示例では、操作支援情報として、操作支援情報６２１を表示する場合を示すが、他の操作支援情報（例えば、画送りまたは画戻しを行うための操作支援情報）を表示するようにしてもよい。なお、操作支援情報６２１は、２Ｄ画像に重ねて表示されるため、２Ｄ画像が見易いように、２Ｄ画像の端部（例えば、２Ｄ画像の左端部または右端部）に表示させることが好ましい。
【０１２３】
［撮像装置および表示装置における表示遷移例］
図１７は、本発明の第１の実施の形態における表示部１８０（撮像装置１００）および表示部２２０（表示装置２００）の表示例を示す図である。なお、図１７（ａ）は、図１６（ａ）に示す表示例と同様であるため、ここでの説明を省略する。また、図１７（ｂ）および（ｃ）は、操作支援情報６４１乃至６４４が異なる点以外は、図８（ｂ）および（ｃ）に示す表示例と略同様である。このため、以下では、図８（ｂ）および（ｃ）と共通する部分についての説明の一部を省略する。
【０１２４】
図１７（ａ）に示す表示画面が表示されている場合において、３Ｄ鑑賞モードを設定する設定操作を行う場合には、操作支援情報６２１に対応する矩形領域をユーザが押下する。この押下操作が行われると、ＵＩ制御部１４０が、３Ｄ鑑賞モードの設定を指示する設定情報を表示装置２００に送信し、撮像装置１００において手動再生モードを設定する。また、図８に示す例と同様に、画像コンテンツ記憶部３００から３Ｄ画像コンテンツが抽出される。そして、３Ｄ鑑賞モードへの切替処理が終了した後に、表示装置２００は、撮像装置１００から受信した画像情報に基づいて３Ｄ画像を表示する。この表示例を図１７（ｂ）に示す。
【０１２５】
図１７（ｂ）には、表示部２２０（表示装置２００）に３Ｄ画像が表示されている場合における表示例（手動再生モード設定時）を示す。このように、表示部２２０に３Ｄ画像が表示されている場合には、表示部１８０（撮像装置１００）にはその３Ｄ画像を表示されず、操作支援情報６４１乃至６４４が表示される。また、操作支援情報６４１は、表示対象となる３Ｄ画像の連続再生を開始させる指示操作（自動再生モードの設定操作）を支援するための操作ガイドを示す標識である。例えば、操作支援情報６４１に対応する矩形領域を押下することにより、自動再生モードを設定することができる。また、操作支援情報６４２は、３Ｄ鑑賞モードを解除して２Ｄ鑑賞モードを設定する指示操作（２Ｄ鑑賞モードの設定操作）を支援するための操作ガイドを示す標識である。例えば、操作支援情報６４２に対応する矩形領域を押下することにより、２Ｄ鑑賞モードを設定することができる旨を示す。また、操作支援情報６４３および６４４は、表示対象となる３Ｄ画像の画送り操作、または、画戻し操作を支援するための操作ガイドを示す標識である。
【０１２６】
また、３Ｄ鑑賞モードの設定中には、ユーザ操作により手動再生モードから自動再生モードへの切替操作を行うことができる。この表示例を図１７（ｂ）および（ｃ）に示す。これにより、ユーザが所望の３Ｄ画像を好みに応じて楽しむことができる。
【０１２７】
図１７（ｃ）には、表示部２２０（表示装置２００）に３Ｄ画像が表示されている場合における表示例（自動再生モード設定時）を示す。このように、自動再生モードが設定された場合には、表示部１８０（撮像装置１００）には操作支援情報６４５が表示される。なお、操作支援情報６４５は、自動再生モードが設定されている旨を示す文字である。
【０１２８】
また、図１７（ｃ）に示す表示画面が表示されている場合に、表示部１８０における表示面の何れかを接触するタッチ操作をユーザが行うことにより、自動再生モードから手動再生モードへの切替操作を行うことができる。
【０１２９】
図１７では、表示部１８０に２Ｄ画像が表示されている場合に、この２Ｄ画像に重ねて表示されている操作支援情報６２１に対応する矩形領域を押下することにより、３Ｄ鑑賞モードを設定する例を示した。以下で示す例では、メニュー画面の表示指示操作により、表示部１８０にメニュー画面を表示させ、このメニュー画面に表示されている操作支援情報に従って、３Ｄ鑑賞モードを設定する例を示す。
【０１３０】
図１８は、本発明の第１の実施の形態における表示部１８０（撮像装置１００）および表示部２２０（表示装置２００）の表示例を示す図である。なお、図１８（ｂ）および（ｃ）は、図１７（ｂ）および（ｃ）に示す表示例と同様であるため、ここでの説明を省略する。また、図１８（ａ）は、操作支援情報６３１乃至６３６が異なる点以外は、図９（ａ）に示す表示例と同様である。このため、以下では、図９（ａ）と共通する部分についての説明の一部を省略する。
【０１３１】
図１８（ａ）には、メニューボタン（図示せず）が押下された後に表示部１８０に表示される表示画面を示す。このように、メニューボタン（図示せず）が押下されると、表示部１８０にメニュー画面が表示される。図１８（ａ）では、３Ｄ画像コンテンツの２Ｄ画像を背景画像とし、この背景画像上にメニュー項目（操作支援情報６３１乃至６３６）を重ねて表示させる例を示す。なお、操作支援情報６３１乃至６３３は、図９（ａ）に示す操作支援情報６１１乃至６１３に対応するものであるため、ここでの説明を省略する。
【０１３２】
操作支援情報６３４は、ＤＰＯＦ（Digital Print Order Format）に従って各操作を行う場合に押下操作が行われる操作ボタンである。また、操作支援情報６３５は、画像コンテンツ記憶部３００に記憶されている画像コンテンツの一覧を表示させる場合に押下操作が行われる操作ボタンである。また、操作支援情報６３６は、表示部１８０に表示されている画像を印刷する場合に押下操作が行われる操作ボタンである。
【０１３３】
ここで、３Ｄ鑑賞モードを設定する場合における設定操作について説明する。操作支援情報６３３に対応する矩形領域を接触するタッチ操作をユーザが行うことにより、３Ｄ鑑賞モードの設定操作を行うことができる。このように、３Ｄ鑑賞モードが設定された場合には、図１７（ｂ）および（ｃ）と同様に、３Ｄ鑑賞モードにおける表示画面が表示される。
【０１３４】
以上では、撮像装置１００における操作部材を用いて各種設定を行う例を示したが、例えば、リモコン（リモートコントローラ）等の操作入力により各種設定を行うようにしてもよい。例えば、装置間インターフェースとして、ＨＤＭＩ−ＣＥＣ（Consumer Electronics Control）規格のケーブルを用いて撮像装置１００および表示装置２００を接続することができる。この場合には、表示装置２００からのリモコン操作により各種設定を行うことができる。例えば、表示装置２００のリモコン信号をそのケーブルを介して撮像装置１００に送信して各種操作を行うことができる。
【０１３５】
なお、本発明の実施の形態では、撮像装置を例にして説明したが、記録媒体に記憶されている立体視画像コンテンツを外部の表示装置に表示させることが可能な画像処理装置に本発明の実施の形態を適用することができる。例えば、撮像機能付き携帯電話機、ナビゲーションシステム、携帯型メディアプレイヤー等の画像処理装置に本発明の実施の形態を適用することができる。
【０１３６】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１３７】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１３８】
１０  コンテンツ再生システム
２０  装置間インターフェース
１００  撮像装置
１１０  撮像制御部
１２０  記録制御部
１３０  操作受付部
１３１  シャッターボタン
１３２  十字ボタン
１３３  決定ボタン
１３４  操作ボタン
１３５  ズームボタン
１４０  ＵＩ制御部
１５０  再生制御部
１６０  画像メモリ
１７０  表示制御部
１８０  表示部
１９０  情報入出力部
２００  表示装置
２２０  表示部
３００  画像コンテンツ記憶部
３１０  画像管理情報記憶部
【図１】
0005488056.tif 000002
【図２】
0005488056.tif 000003
【図３】
0005488056.tif 000004
【図４】
0005488056.tif 000005
【図５】
0005488056.tif 000006
【図６】
0005488056.tif 000007
【図７】
0005488056.tif 000008
【図８】
0005488056.tif 000009
【図９】
0005488056.tif 000010
【図１０】
0005488056.tif 000011
【図１１】
0005488056.tif 000012
【図１２】
0005488056.tif 000013
【図１３】
0005488056.tif 000014
【図１４】
0005488056.tif 000015
【図１５】
0005488056.tif 000016
【図１６】
0005488056.tif 000017
【図１７】
0005488056.tif 000018
【図１８】
0005488056.tif 000019